(57)【特許請求の範囲】
【請求項１】
電気配線を内蔵した光送信モジュールと、電気配線を内蔵した光受信モジュールと、これら光送信モジュールと光受信モジュールとを接続する複数のテープファイバとを具え、前記モジュール間において多チャンネル並列伝送路を形成して多チャンネルの信号を伝送する並列光伝送装置において、
前記光送信モジュール及び光受信モジュールの電気配線による伝送遅延量が、前記多チャンネルの中央部はほぼ横ばいで大きく、チャンネルの端部にいくほど、ほぼ直線状に減少する特性を有するとき、
前記電気配線による伝送遅延量がほぼ直線状に減少するチャンネル端部を構成するテープファイバの長さを、電気配線による伝送遅延量の特性がほぼ横ばいであるチャンネル中央部を構成するテープファイバの長さよりも長く設定し、
前記電気配線による伝送遅延量がほぼ直線状に減少するチャンネル端部に適用する前記テープファイバとして、チャンネル間の伝送遅延量がチャンネルに対してほぼ直線状に変化するように調整されたテープファイバを用い、チャンネルに対する電気配線による伝送遅延量の傾きとチャンネルに対するテープファイバによる伝送遅延量の傾きとを逆にしてチャンネルを組み合わせ、チャンネル間における伝送遅延量の和のばらつきを補償する
ことを特徴とする並列光伝送装置。
【発明の詳細な説明】
【０００１】
【発明の属する技術分野】
本発明は、光インタコネクションシステムに用いる並列光伝送装置に関するものである。
【０００２】
光インタコネクション技術は、通信装置等における高速、高密度実装の配線技術である。光インタコネクションシステムで用いられる光伝送装置は、光送信モジュール、光受信モジュール及び光ファイバから構成され、入力された電気信号を光送信モジュールで光信号に変換し、伝送路である光ファイバを伝送させ、光受信モジュールで受信し電気信号に変換して出力する。並列光伝送装置は、光伝送装置を多チャンネル化して、伝送速度、実装密度を更に高めたものである。並列光伝送装置の伝送路である多心光ファイバには、通常テープファイバが用いられる。
【０００３】
一方、並列伝送においては、スキューが問題となる。スキューとは、チャンネル間における信号の伝送遅延のばらつきであり、定量的には伝送遅延の全チャンネルのうちの最大遅延の値と最小遅延の値との差で定義される。並列伝送システムの伝送速度及び伝送距離は、各チャンネルの伝送速度及び伝送距離より、むしろ全チャンネルのスキューで制限される場合が多い。従って、並列伝送システムにおいて、スキューの管理は重要な課題であり、可能な限り低減することが望ましい。
【０００４】
各チャンネルの合計の伝送遅延は、信号が光送信モジュールに入力されてから光受信モジュールで出力されるまでの間に、チャンネル毎に種々の過程で生じる遅延が累積されたものである。従って、伝送遅延のばらつきは、伝送の個々の過程で生じる遅延のチャンネル間のばらつきに起因する。例えば、ファイバスキューと呼ばれるものは、伝送路であるテープファイバによる光信号の伝送遅延のチャンネル間での差である。また、並列光伝送装置の光送信モジュール及び光受信モジュールでは、ピッチの狭いＩＣのパッドとピッチの広い入出力端子との間を電気配線で接続するが、その構造を小型の基板上で効率よく実現するため、電気配線の配線長がチャンネル毎に異なり、電気信号の伝送遅延の差を生じる場合が多い。
【０００５】
従来の並列光伝送装置では、スキューを低減するために、これら伝送の個々の過程で生じる遅延のばらつきを低減する方法、例えばファイバスキューの小さいテープファイバを使用する等の方法がとられていた。
【０００６】
しかしながら、上述のような並列光伝送装置には次のような問題がある。即ち、伝送の個々の過程で生じる遅延のばらつきが低減されても、それらの遅延が累積される全体の伝送遅延のばらつきは、伝送の個々の過程で生じる遅延のばらつきが重ね合わされる結果、一般に伝送の個々の過程で生じる遅延のばらつきより大きくなってしまう。この問題点について、以下に図を参照して説明する。
【０００７】
図３に、40チャンネル、伝送距離100mの並列光伝送装置300 を示す。この並列光伝送装置300 は、光送信モジュール301 、光受信モジュール302 及びテープファイバ303a、303b、303c、303dから構成されている。また、図４は、光送信モジュール301 又は光受信モジュール302 の各チャンネル毎の電気配線による伝送遅延のばらつきの例を示す図である。この図から分かるように、伝送遅延は各チャンネル間で異なっており、それぞれのスキューは約125ps （図４の最大値と最小値との差）である。これを二倍すれば、光送信モジュール301 及び光受信モジュール302 両者の電気配線スキューの値が得られ、これは約250ps である。
【０００８】
テープファイバ303a、303b、303c及び303dは、ファイバスキューの小さい10チャンネルのGI-50/125 テープファイバを対象とする。図５は、このテープファイバの各チャンネルの単位距離当たりの伝送遅延のばらつきの例を示す図である。この図から、単位距離当たりのファイバスキューは約1.5ps/m であることが分かる。テープファイバ303a、303b、303c及び303dは長さ100.00m であるので、ファイバスキューは約150ps である。
【０００９】
並列光伝送装置300 の光送信モジュール301 の電気配線による伝送遅延と、光受信モジュール302 の電気配線による伝送遅延と、テープファイバ303a、303b、303c及び303dによる伝送遅延とを重ね合わせると、そのチャンネル間の遅延のばらつきは図６に示すようになる。この図から、スキューは約300ps になり、電気配線スキュー或いはファイバスキュー個々の値より大きくなる。
【００１０】
【発明が解決しようとする課題】
本発明は、このような問題点に鑑みてなされたものであり、その目的は、全体としてのスキューが低減された並列光伝送装置を提供することにある。
【００１１】
【課題を解決するための手段】
本発明の並列光伝送装置は、上記の目的を達成するため、電気配線を内蔵した光送信モジュールと、電気配線を内蔵した光受信モジュールと、これら光送信モジュールと光受信モジュールとを接続する複数のテープファイバとを具え、前記モジュール間において多チャネル並列伝送路を形成して多チャネルの信号を伝送する並列光伝送装置において、
前記テープファイバの長さを、前記光送信モジュール及び光受信モジュールの電気配線による伝送遅延量とテープファイバによる伝送遅延との和がチャネル間において均一になるように、互いに相違させたことを特徴とする。
【００１２】
また、本発明の他の並列光伝送装置は、伝送される信号の、光送信モジュールの電気配線による伝送遅延、光受信モジュールの電気配線による伝送遅延及びテープファイバによる伝送遅延の和の前記全チャンネルのうちの最大の値と最小の値との差が、前記光送信モジュールの電気配線による伝送遅延及び前記光受信モジュールの電気配線による伝送遅延の和の前記全チャンネルのうちの最大の値と最小の値との差、又は、前記テープファイバによる伝送遅延の前記全チャンネルのうちの最大の値と最小の値との差より小さくなるように、個々の前記テープファイバの長さ及び個々のテープファイバ中の個々のチャンネルの伝送遅延の値を設定したことを特徴とする。
【００１３】
このような本発明の並列光伝送装置においては、光送信モジュールの電気配線による伝送遅延のばらつき、光受信モジュールの電気配線による伝送遅延のばらつき、又は、テープファイバによる伝送遅延のばらつきがそれぞれ存在しても、各チャンネル毎の、光送信モジュールの電気配線による伝送遅延と光受信モジュールの電気配線による伝送遅延とテープファイバによる伝送遅延との和のばらつきを小さくすることにより、並列光伝送装置全体としての伝送遅延のばらつきを低減することができる。
【００１４】
【発明の実施の形態】
次に図面を用いて本発明の実施例を説明する。
【００１５】
〔実施例１〕
図１は本発明の第１実施例を説明する図である。100 は、40チャンネル、伝送距離100mの並列光伝送装置である。この並列光伝送装置100 は、光送信モジュール101 、光受信モジュール102 及びテープファイバ103a、103b、103c、103dから構成されている。また、光送信モジュール101 又は光受信モジュール102 の各チャンネルの電気配線による伝送遅延は図４に示すとおりであり、それぞれのスキューは約125ps である。光送信モジュール101 及び光受信モジュール102 両者の電気配線スキューの値は、これらを合わせて約250ps である。
【００１６】
テープファイバ103a、103b、103c及び103dは、10チャンネルのGI-50/125 テープファイバである。このテープファイバの各チャンネルの単位距離当たりの伝送遅延のばらつきは図５に示すとおりであり、単位距離当たりのファイバスキューは約1.5ps/m である。これらのテープファイバの長さは、テープファイバ103a及び103dが100.02m 、103b及び103cは長さ100.00m に調整されており、ファイバスキューはそれぞれ約150ps である。
【００１７】
並列光伝送装置100 の光送信モジュール101 の電気配線による伝送遅延と、光受信モジュール102 の電気配線による伝送遅延と、テープファイバ103a、103b、103c及び103dによる伝送遅延とを重ね合わせると、そのチャンネル間の遅延のばらつきは図７に示すようになる。この図から、スキューは約250ps になり、電気配線スキューより大きくなっておらず、図６に示した従来例と比較して、全体としてのスキューが低減されていることが分かる。
【００１８】
〔実施例２〕
図２は本発明の第２実施例を説明する図である。200 は、40チャンネル、伝送距離100mの並列光伝送装置である。この並列光伝送装置200 は、光送信モジュール201 、光受信モジュール202 及びテープファイバ203a、203b、203c、203dから構成されている。また、光送信モジュール201 又は光受信モジュール202 の各チャンネルの電気配線による伝送遅延は図４に示すとおりであり、それぞれのスキューは約125ps である。光送信モジュール201 及び光受信モジュール202 両者の電気配線スキューの値は、これらを合わせて約250ps である。
【００１９】
テープファイバ203a、203b、203c及び203dは、10チャンネルのGI-50/125 テープファイバである。このうちテープファイバ203b及び203cの各チャンネルの単位距離当たりの伝送遅延のばらつきは図５に示すとおりであり、単位距離当たりのファイバスキューは約1.5ps/m である。一方、テープファイバ203a及び203dの各チャンネルの単位距離当たりの伝送遅延の値は図８に示すように、直線状に分布するように調整されており、単位距離当たりのファイバスキューは約2.5ps/m である。これらのテープファイバの長さは、テープファイバ203a及び203dが100.02m 、203b及び203cは長さ100.00m に調整されており、ファイバスキューは、テープファイバ203b及び203cが約150ps 、テープファイバ203a及び203dが約250ps である。
【００２０】
並列光伝送装置200 の光送信モジュール201 の電気配線による伝送遅延と、光受信モジュール202 の電気配線による伝送遅延と、テープファイバ203a、203b、203c及び203dによる伝送遅延とを重ね合わせると、そのチャンネル間の遅延のばらつきは図９に示すようになる。この図から、スキューは約150ps になり、電気配線スキュー或いはファイバスキューより小さくなり、図６に示した従来例及び図７に示した実施例１と比較して、全体としてのスキューが低減されていることが分かる。
【００２１】
なお、上記の説明においては本発明の限られた実施例について説明したが、本発明がそれらに限定されるものではないことは勿論である。例えば、テープファイバが長さ方向に分割され、光ファイバコネクタにより接続されていてもよい。また、チャンネル数は40に限らないことは言うまでもない。
【００２２】
【発明の効果】
本発明によれば、並列光伝送装置において、光送信モジュールの電気配線による伝送遅延、光受信モジュールの電気配線による伝送遅延及びテープファイバによる伝送遅延の和のばらつきが小さくなり、並列光伝送装置全体としてのスキューを低減することができる。
【図面の簡単な説明】
【図１】本発明による並列光伝送装置の第１実施例を説明する図である。
【図２】本発明による並列光伝送装置の第２実施例を説明する図である。
【図３】従来の並列光伝送装置の例を説明する図である。
【図４】光送信モジュール又は光受信モジュールの各チャンネル毎の電気配線による伝送遅延のばらつきの例を示す図である。
【図５】１０心テープファイバの各チャンネルの単位距離当たりの伝送遅延のばらつきの例を示す図である。
【図６】従来の並列光伝送装置におけるチャンネル間の遅延のばらつきの例を示す図である。
【図７】本発明による並列光伝送装置の第１実施例におけるチャンネル間の遅延のばらつきの例を示す図である。
【図８】本発明による並列光伝送装置の第２実施例に用いる１０心テープファイバの各チャンネルの単位距離当たりの伝送遅延のばらつきの例を示す図である。
【図９】本発明による並列光伝送装置の第２実施例におけるチャンネル間の遅延のばらつきの例を示す図である。
【符号の説明】
１００、２００、３００  並列光伝送装置
１０１、２０１、３０１  光送信モジュール
１０２、２０２、３０２  光受信モジュール
１０３、２０３、３０３  テープファイバ
【図１】
0003661728.tif 000002
【図２】
0003661728.tif 000003
【図３】
0003661728.tif 000004
【図４】
0003661728.tif 000005
【図５】
0003661728.tif 000006
【図６】
0003661728.tif 000007
【図７】
0003661728.tif 000008
【図８】
0003661728.tif 000009
【図９】
0003661728.tif 000010